(57)【要約】【課題】  サブ基板ユニットを取り外すことなく、サブ基板ユニットの制約を受けることなく、表示装置ユニットを個別に取り外せるようにする。【解決手段】  遊技機の前面を覆う上部扉体１９に、液晶表示器１１を備える表示装置ユニット１０と、液晶表示器１１の制御を行うサブ基板５１がサブ基板ケース５２に収容されたサブ基板ユニット５０とが、設けられたスロットマシン１であって、サブ基板ユニット５０が上部扉体１９の背面側に取り付けられるとともに、表示装置ユニット１０がサブ基板ユニット５０の前方に取り付けられる取付態様において、表示装置ユニット１０を、サブ基板ユニット５０を上部扉体１９から取り外すことなく、その移動により上部扉体１９から取り外すことを可能とする所定の移動ルートを備え、移動ルートは、前記取付態様に応じて定まるルートであって、少なくとも表示装置ユニット１０の後方に向かうルートを除く構成としてある。【選択図】  図４
2014226273.tif 000002
【特許請求の範囲】
【請求項１】
遊技機の前面を覆う扉体に、所定の表示器を備える表示装置ユニットと、前記表示器の制御を行う制御基板が所定の基板ケースに収容された制御基板ユニットとが、設けられた遊技機であって、
前記制御基板ユニットが前記扉体の背面側に取り付けられるとともに、前記表示装置ユニットが前記制御基板ユニットの前方に取り付けられる取付態様において、
前記表示装置ユニットを、前記制御基板ユニットを前記扉体から取り外すことなく、その移動により前記扉体から取り外すことを可能とする所定の移動ルートを備え、
前記移動ルートは、
前記取付態様に応じて定まるルートであって、少なくとも前記表示装置ユニットの後方に向かうルートを除く
ことを特徴とする遊技機。
【請求項２】
前記制御基板ユニットが前記扉体の背面側に取り付けられるとともに、前記表示装置ユニットが前記扉体の前面側に取り付けられる取付態様において、
前記表示装置ユニットの取り外しは、前記扉体の背面側であって前記制御基板ユニットが占める領域の外側に配置された所定の固定手段の固定解除によって行われ、
前記表示装置ユニットを、前記制御基板ユニットを前記扉体に取り付けたまま、遊技機から前方に向かう移動ルートに基づき前記扉体から取り外すことを可能とした
ことを特徴とする請求項１記載の遊技機。
【請求項３】
所定の金属板を、前記制御基板ユニットの全面を覆うように前記制御基板ユニットと前記表示装置ユニットの間に取り付けた
ことを特徴とする請求項１又は２記載の遊技機。
【発明の詳細な説明】
【技術分野】
【０００１】
本発明は、表示器及び表示器を制御する制御基板を備えた遊技機に関し、特に、制御基板を取り外すことなく、表示器を個別に取り外すことができるようにした遊技機に関する。
【背景技術】
【０００２】
一般に、スロットマシンやパチンコ機などの遊技機においては、液晶表示器（表示装置）、スピーカなどの演出手段を用いてゲームの進行に応じた遊技演出が行われるようになっている。
具体的には、遊技の進行を制御する制御基板（メイン基板）と、液晶表示器やスピーカを制御する制御基板（サブ基板）とを遊技機内部に備え、メイン基板が、遊技進行に基づく制御コマンドをサブ基板に出力し、サブ基板が、制御コマンドに基づく演出制御を行うことで、ゲーム進行に応じた遊技演出が行われるようになっている。
【０００３】
このように、メイン基板は、ゲーム性に大きく関与しており、メイン基板に実装されているＲＯＭなどの電子部品を不正に交換するなどして出玉を増やす不正行為の対象となり易いことから、所定の基板ケース内に収容して保護されるようになっている。
他方、サブ基板も不正行為の対象となることがあり、サブ基板やサブ基板に実装される電子部品を取り替えたり、サブ基板に不正な信号を送るなどによって不正行為が行われることがある。
このため、サブ基板も、基板ケースに収容され外部からの不正なアクセスから保護するようにしている（特許文献１参照）。
例えば、特許文献１の遊技機によれば、表示装置の後方にサブ基板を配置するようにしている。
このため、サブ基板に対する前方からの不正なアクセスについては、表示装置が妨げとなってこれを防ぐことができる（図８〜図１１参照）。
【０００４】
【特許文献１】特開２００８−２４５９７９号公報
【発明の開示】
【発明が解決しようとする課題】
【０００５】
ところが、このような従来の遊技機においては、以下のような問題点があった。
具体的には、上述の遊技機では、表示装置とこれを制御する制御基板（サブ基板）とが一つの演出ユニットを構成しているため、演出ユニットさえ取り外すことができれば、サブ基板に簡単にアクセスできるようになっている。
例えば、演出ユニットがネジで固定されているような場合、ネジを緩めるだけで、表示装置とともにサブ基板を取り外すことができ、このため、サブ基板を介した不正行為が容易に行われるおそれがあった。
したがって、サブ基板に対する不正行為の防止を徹底するには、このような演出ユニットを、ユニットごと取り外し不能に固定することが望ましい。
しかしながら、サブ基板と表示装置とがユニットとして一体的に構成されている場合、表示装置だけを取り外すことはできず、このため、例えば、表示装置のメンテナンスにおける交換や修理等の作業を適切に行うことができなくなる問題を生ずる。
【０００６】
そこで、サブ基板と表示装置をそれぞれ個別にユニット化するとともに、不正行為から保護すべくサブ基板ユニットを取り外し不能に固定することが不正防止の観点からのみならず表示装置に対するメンテナンスの観点からも好ましいことになる。
ところが、サブ基板と表示装置は、ケーブル接続される関係を有するがため、近接して配置される必要があり、メンテナンスのために表示装置ユニットを取り外すときに、サブ基板ユニットの取り付け方法によっては、それ自体が邪魔になるおそれがあった。
【０００７】
本発明は、以上のような問題を解決するために提案されたものであり、サブ基板ユニットを取り外すことなく、また、サブ基板ユニットの制約を受けることなく、表示装置ユニットを個別に取り外すことができるようにすることによって、サブ基板に対する不正行為を防止するとともに、表示装置のメンテナンス性を向上させた遊技機の提供を目的とする。
【課題を解決するための手段】
【０００８】
上記目的を達成するため、本発明の遊技機は、遊技機の前面を覆う扉体に、所定の表示器を備える表示装置ユニットと、表示器の制御を行う制御基板が所定の基板ケースに収容された制御基板ユニットとが、設けられた遊技機であって、制御基板ユニットが扉体の背面側に取り付けられるとともに、表示装置ユニットが制御基板ユニットの前方に取り付けられる取付態様において、表示装置ユニットを、制御基板ユニットを扉体から取り外すことなく、その移動により扉体から取り外すことを可能とする所定の移動ルートを備え、移動ルートは、前記取付態様に応じて定まるルートであって、少なくとも表示装置ユニットの後方に向かうルートを除く構成としてある。
【発明の効果】
【０００９】
本発明によれば、サブ基板ユニットを取り外すことなく、また、サブ基板ユニットの制約を受けることなく、表示装置ユニットを個別に取り外すことができるため、サブ基板に対する不正行為を防止するとともに、表示装置のメンテナンス性を向上させることができる。
【図面の簡単な説明】
【００１０】
【図１】本発明の実施形態に係るスロットマシンの外観を示す概略斜視図である。
【図２】本発明の実施形態に係るスロットマシンの内部構成を示す概略斜視図である。
【図３】本発明の実施形態に係るスロットマシンの前扉を斜め前方から見た分解斜視図である。
【図４】本発明の実施形態に係るスロットマシンの前扉を斜め後方から見た分解斜視図である。
【図５】本発明の実施形態に係る表示装置ユニットの分解斜視図である。
【図６】表示装置ユニット及びサブ基板ユニットの取付態様を模式的に示したイメージ図であり、また、その取付態様に応じて定まる表示装置ユニットの移動ルートを説明するための図である。
【発明を実施するための形態】
【００１１】
以下、本発明に係る遊技機の好ましい実施形態について、図１〜図６を参照して説明する。
遊技機には、パチンコ機、スロットマシン、アレンジボール、雀球など様々な種類があるが、本実施形態では、本発明をスロットマシンに適用した場合について説明する。
【００１２】
図１及び図２に示すように、スロットマシン１は、複数のリール４０（４０ａ〜４０ｃ）を備えるドラムユニット４、メダルを払い出すメダル払出装置７等を収納する箱状の筐体１ｂによって構成され、筐体１ｂの前面が前扉１ａによって開閉可能に覆われている。
前扉１ａは、筐体１ｂにヒンジ等を介して開閉自在に取り付けられる扉体であり、この前扉１ａに前面パネル６が備えられ、前面パネル６のほぼ中央部分にある表示窓９を介し、筐体１ｂ内の各リール４０ａ〜４０ｃが外部から視認可能となっている。
前扉１ａの上部には、表示装置ユニット１０が設けられている。
表示装置ユニット１０は、演出手段として、液晶表示器（表示器）１１とその左右にスピーカ１２を備える。
液晶表示器１１は、液晶パネルからなる表示装置であり、主に、スロットマシン１の遊技性を高めるための演出表示を行い、左右に配置されたスピーカ１２は、演出表示に対応したサウンドや効果音を出力する。
【００１３】
前扉１ａの上下方向中央部分には、メダル投入口２，ベットボタン２ａ，スタートレバー３，停止ボタン５（５ａ〜５ｃ）等が備えられている。
メダル投入口２は、ゲームに使用されるメダルの受け入れ口であり、このメダル投入口２から投入されたメダル数に応じてゲームが行えるようになっている。
メダル投入口２の本体内部側には、メダルセレクタ２０が備えられており、メダル投入口２から投入されたメダルは、メダルセレクタ２０によってスロットマシン１の内部に誘導され、メダル貯留用のホッパー２ｂへ送り込まれて貯留される構成となっている。入賞に応じて払い出すべきメダルは、クレジットとして内部貯留できるようになっている。
ベットボタン２ａは、内部貯留されたクレジットメダルがある場合に、そのクレジットメダルをゲームに投入するためのスイッチである。
前扉１ａの最下部には、メダル払出装置７から払い出されたメダルを受け皿へ導くメダル払出口７ａが設けられている。
【００１４】
スタートレバー３は、押下されることで、メイン基板３１にスタート信号が出力され、本体内部の各リール４０ａ〜４０ｃが回転するようになっている。
停止ボタン５は、回転するリール４０を停止させる停止手段であり、各停止ボタン５ａ，５ｂ，５ｃが任意のタイミングで押下されることで、メイン基板３１にストップ信号が出力され、対応する各リール４０ａ，４０ｂ，４０ｃの回転が停止される。
したがって、遊技者がスタートレバー３及び停止ボタン５を操作することにより、リール４０ａ〜４０ｃを回転及び停止させて、各リール４０ａ〜４０ｃに付された図柄を所定の入賞配列となるように揃えるスロットマシン遊技を行うことができる。
【００１５】
メイン基板３１は、図示しないメインＣＰＵ、メインＲＯＭなどの電子部品が搭載された制御基板であり、メイン基板ケース３２に収容されることでメイン基板ユニット３０を構成する。
メイン基板３１は、スタート信号、ストップ信号等の遊技に関する操作情報を入力すると、メインＣＰＵがメインＲＯＭに記憶されたプログラムを実行処理することで、スロットマシン１の遊技が進行される。
また、メイン基板３１は、図示しない通信ケーブルを介し、サブ基板５１に対し単方向通信可能に接続されており、スロットマシン１の遊技進行に伴って所定の制御コマンドをこの通信ケーブルを介してサブ基板５１に出力する。
【００１６】
サブ基板（本発明の制御基板）５１は、図示しないサブＣＰＵ、サブＲＯＭ、演出用の制御回路などの電子部品が搭載された制御基板であり、サブ基板ケース５２に収容されることでサブ基板ユニット（制御基板ユニット）５０を構成する。
サブ基板５１は、メイン基板３１から所定の制御コマンドを入力すると、サブＣＰＵがサブＲＯＭに記憶されたプログラムを実行処理することで、制御回路を制御し、図示しない各種ケーブル等を介し表示装置ユニット１０に画像データや音データを出力して演出動作を行わせるようになっている。
例えば、遊技の進行を示す信号としてボーナス遊技の開始を指示する制御コマンドを入力したときには、サブＣＰＵは、制御回路にボーナス遊技開始の演出を行うように指示し、液晶表示器１１を介してボーナス開始の画像を表示させ、スピーカ１２を介して所定のファンファーレ音を出力させる。
以下、このようなサブ基板５１を備えたサブ基板ユニット５０、及び、サブ基板５１の制御対象である表示装置ユニット１０の取付態様について説明する。
【００１７】
（サブ基板ユニット及び表示装置ユニットの取り付け態様）
図３は、本発明の実施形態に係るスロットマシンの前扉を斜め前方から見た分解斜視図である。図４は、本発明の実施形態に係るスロットマシンの前扉を斜め後方から見た分解斜視図である。図５は、本発明の実施形態に係る表示装置ユニットの分解斜視図である。図６は、表示装置ユニット及びサブ基板ユニットの取付態様を模式的に示したイメージ図であり、また、その取付態様に応じて定まる表示装置ユニットの移動ルートを説明するための図である。
【００１８】
これらの図に示すように、表示装置ユニット１０は、スロットマシン１の前扉１ａの上部の前面側に取り付けられ、サブ基板ユニット５０は、前扉１ａの上部の背面側に取り付けられる。
具体的には、サブ基板ユニット５０は、前扉１ａの上部の開口部１７を囲む上部扉体１９の背面側に取り外し不能に取り付けられ、表示装置ユニット１０は、その前面側に取り外し可能に取り付けられる（図４参照）。
また、開口部１７の背面側には、表示装置ユニット１０とサブ基板ユニット５０とを仕切るステンレス、鋼板などからなる所定の金属板９０を配置するようにしている。
【００１９】
図４に示すように、サブ基板ユニット５０（サブ基板ケース５２）の角部には、ねじ挿通孔ｈ２１〜ｈ２４が形成され、上部扉体１９の背面側には、ねじ挿通孔ｈ２１〜ｈ２４に対応した位置に、ネジｓ２１〜ｓ２４の螺入可能な下穴を有する円形柱状のボス部ｂ２１〜ｂ２４が形成されている。
金属板９０には、サブ基板ユニット５０のねじ挿通孔ｈ２１〜ｈ２４（上部扉体１９のボス部ｂ２１〜ｂ２４）に対応した位置にねじ挿通孔ｈ２１１〜ｈ２１４が形成されている。
【００２０】
ここで、上部扉体１９の背面側に金属板９０とサブ基板ユニット５０を順に重ね、サブ基板ユニット５０のねじ挿通孔ｈ２１〜ｈ２４及び金属板９０のねじ挿通孔ｈ２１１〜ｈ２１４に、ネジｓ２１〜ｓ２４を後方から挿通し、上部扉体１９のボス部ｂ２１〜ｂ２４に螺入することにより、金属板９０が、サブ基板ユニット５０と上部扉体１９に狭持されつつ、サブ基板ユニット５０が上部扉体１９の背面側に取り付けられる。
さらに、サブ基板ユニット５０は、上部扉体１９に取り付けられた状態のまま、その取り外しができないよう所定の係止手段によって上部扉体１９に固定するようにしている。例えば、サブ基板ケース５２と上部扉体１９とを、専用のかしめピン等で係止する係止手段により、サブ基板ケース５２を開封不能に封止しつつ、上部扉体１９から取り外し不能に固定する。
【００２１】
表示装置ユニット１０の取り付けは、ネジｓ１１〜ｓ１８、ねじ挿通孔ｈ１１〜ｈ１８、及びボス部ｂ１１〜ｂ１８を用いた固定手段の実施により行われる。
具体的には、図４に示すように、表示装置ユニット１０（表示器枠１０ａ）の背面側の縁部には、ネジｓ１１〜ｓ１８の螺入可能な下穴を有するボス部ｂ１１〜ｂ１８が形成され、上部扉体１９には、ボス部ｂ１１〜ｂ１８に対応した位置にねじ挿通孔ｈ１１〜ｈ１８が形成されており、上部扉体１９の前面側に表示装置ユニット１０を配置し、上部扉体１９のねじ挿通孔ｈ１１〜ｈ１８に対し、ネジｓ１１〜ｓ１８を後方から挿通し、表示装置ユニット１０のボス部ｂ１１〜ｂ１８に螺入することにより、表示装置ユニット１０を上部扉体１９の前面側に取り付けることができる。
【００２２】
このように、本実施形態のスロットマシン１によれば、サブ基板ユニット５０が、表示装置ユニット１０等の他の装置と関与せず、独立して上部扉体１９に固定的に取り付けるようにしている。
このため、従来のように、サブ基板５１が他の装置とともに取り外されるおそれがなく、また、サブ基板５１が他の装置とともに取り外されることによって行われる不正行為を防止することができる。
【００２３】
また、金属板９０が、表示装置ユニット１０とサブ基板ユニット５０との間を物理的に仕切るとともに、サブ基板ユニット５０の全面（前面）を覆うようにしている。
このため、不正行為者が、スロットマシン１の前方から基板上の信号線や電子部品への接触を試みたとしても、まず、表示装置ユニット１０がこれを妨げることができ、また、仮に、表示装置ユニット１０の隙間等から侵入され、もしくは、何らかの方法で表示装置ユニット１０を取り出すことができたとしても、金属板９０によってサブ基板５１への接触を阻止することができる。
なお、金属板９０は、その上部及び左右部に施した切欠１４によって、その取り付けによって開口部１７に表示器用開口１５及びスピーカ用開口１６を形成するようにしている（図３，４参照）。このため、表示装置ユニット１０とサブ基板ユニット５０を金属板９０で仕切りながらも、これらの開口を通じてユニット同士を接続するケーブルを配線することができる。
【００２４】
（表示装置ユニットの取り外し）
本実施形態の表示装置ユニット１０の取り外しは、サブ基板ユニット５０と表示装置ユニット１０とを接続するケーブルを外す他、表示装置ユニット１０の固定手段の固定を解除し、その上で、表示装置ユニット１０を前方に移動させることで行うことができる。
ここで、表示装置ユニット１０の取り付け手段であるネジｓ１１〜ｓ１８は、対応するボス部ｂ１１〜ｂ１８が、サブ基板ユニット５０の領域の外側に配置している。
このようにすると、上部扉体１９の背面側であってサブ基板ユニット５０が占める領域の外側に配置された固定手段の固定解除を行うことによって、表示装置ユニット１０を移動可能に取り外すことができる。
つまり、ボス部ｂ１１〜ｂ１８は、サブ基板ユニット５０の領域の外側に配置しているため、ボス部ｂ１１〜ｂ１８に螺合されてあるネジｓ１１〜ｓ１８を緩めて行う固定解除の作業を、取り外し不能に固定されてあるサブ基板ユニット５０の制約を受けることなく行うことができ、このため、表示装置ユニット１０を、サブ基板ユニット５０を上部扉体１９に取り付けたまま、スロットマシン１から前方に向かう移動ルートに基づき移動することで、上部扉体１９から取り外すことができる。
【００２５】
また、表示装置ユニット１０の取り付けは、ネジｓ１１〜ｓ１８を、上部扉体１９の後方から取り付けることによって行うようにしているため、前扉１ａを開けない限り表示装置ユニット１０を取り外せないようになっている。
そうすると、サブ基板ユニット５０に対して前方からアクセスするためには、前扉１ａを開けて表示装置ユニット１０を取り外さない限り実現しないことから、表示装置ユニット１０に対向する面側のサブ基板５１が強固に保護されることになる。
【００２６】
表示装置ユニット１０の取り外しは、サブ基板ユニット５０及び表示装置ユニット１０の取付態様に応じて定まる所定の移動ルートに従った移動によって行うことができるようにしている。
以下、表示装置ユニット１０の「移動ルート」について図６を参照しながら説明する。
【００２７】
図６（ａ）は、本実施形態の表示装置ユニット１０及びサブ基板ユニット５０の取付態様を示す図である。
すなわち、本実施形態においては、表示装置ユニット１０は前扉１ａ（上部扉体１９）の開口部１７の前面に取り付けられ、開口部１７の背面に金属板９０及びサブ基板ユニット５０が所定の係止手段によって取り外し不能に取り付けられる取付態様となっている。
【００２８】
この場合、表示装置ユニット１０の後方へ向かうルートは、サブ基板ユニット５０等の存在のためその移動が妨げられることから「移動ルート」から除かれる。
他方、表示装置ユニット１０の前方に向かうルートは、サブ基板ユニット５０や他の装置によってその移動が妨げられない。
このため、この場合の「移動ルート」には、少なくとも「前方に向かうルート」を含むことから、本実施形態に係る表示装置ユニット１０は、所定ケーブルの接続及び固定手段の解除した後、「前方」に引き出すことによって取り外すことができる。
【００２９】
図６（ｂ）は、表示装置ユニット１０及びサブ基板ユニット５０の他の取付態様を示す図である。
すなわち、この「他の取付態様」においては、表示装置ユニット１０は、前扉１ａ（上部扉体１９）の開口部１７の後方に取り付けられ、さらにその後方にサブ基板ユニット５０が所定の係止手段によって取り外し不能に取り付けられ、開口部１７とサブ基板ユニット５０との間に表示装置ユニット１０が取り付けられる取付態様となっている。
【００３０】
この場合、図６（ａ）の場合と同様、表示装置ユニット１０の後方へ向かうルートは「移動ルート」から除かれる。また、表示装置ユニット１０の上方へ向かうルートはサブ基板ユニット５０を取り外し不能に固定する係止手段によってその移動が妨げられているため「移動ルート」から除外される。
他方、表示装置ユニット１０の下方に向かうルートには、サブ基板ユニット５０や他の装置によってその移動が妨げられない。また、開口部１７の開口が表示装置ユニット１０の通過を許容する大きさであるため、表示装置ユニット１０の前方への移動も可能である。
このため、この場合の「移動ルート」は、「前方及び下方に向かうルート」が該当することから、表示装置ユニット１０は、所定ケーブルの接続及び固定手段の解除した後、「前方」に引き出すか、又は、「下方」に下げることによって取り外すことができる。
【００３１】
このように、表示装置ユニット１０及びサブ基板ユニット５０の取付態様によれば、サブ基板ユニット５０を取り外すことなく、表示装置ユニット１０を、その取付態様に応じて定まる移動ルートに従った移動によって、個別に取り外すことができるようになっている。
このため、表示装置ユニット１０の交換や修理等の作業が必要なときに、近接するサブ基板ユニット５０の制約を受けることなく、表示装置ユニット１０を取り外してその作業を行うことができる。
したがって、本実施形態の遊技機によれば、表示装置ユニット１０のメンテナンス性を向上させることができる。
【００３２】
加えて、取り外した表示装置ユニット１０は、図５に示すように、液晶表示器１１とスピーカ１２とに分解することも可能である。
具体的には、左右のスピーカ１２の上端部及び下端部のねじ挿通孔ｈ３１，ｈ３２及びｈ３３，ｈ３４を通して液晶表示器１１のボス部ｂ３１〜ｂ３４に螺合されたネジｓ３１〜ｓ３４を緩めることによって、表示装置ユニット１０を、液晶表示器１１、スピーカ１２、及び表示器枠１０ａに分解することができる。
このため、表示装置ユニット１０のメンテナンスを、必要なパーツ単位で行うことができるため、メンテナンス性をより向上させることができる。
【００３３】
以上、本発明の遊技機の好ましい実施形態について説明したが、本発明に係る遊技機は、上述した実施形態にのみ限定されるものではなく、本発明の範囲で種々の変更実施が可能であることはいうまでもない。
例えば、本実施形態の金属板９０を、前扉１ａの補強枠として用いることもできる。
また、金属板９０を備えない構成とすることもできる。このような構成であっても、サブ基板ユニット５０の制約を受けずに、表示装置ユニット１０を個別に取り外すことができ、本発明の目的を達成することができる。
【産業上の利用可能性】
【００３４】
本発明は、パチンコ機やスロットマシンなどの遊技機に広く利用することができる。
【符号の説明】
【００３５】
１  スロットマシン（遊技機）
１ａ  前扉（扉体）
１ｂ  筐体
１０  表示装置ユニット（１０ａ；表示器枠）
１１  液晶表示器
１２  スピーカ
１４  切欠
１５  表示器用開口
１６  スピーカ用開口
１７  開口部
１９  上部扉体
５０  サブ基板ユニット
５１  サブ基板
５２  サブ基板ケース
９０  金属板
ｓ  ネジ
ｈ  ねじ挿通孔
ｂ  ボス部
【図１】
2014226273.tif 000003
【図２】
2014226273.tif 000004
【図３】
2014226273.tif 000005
【図４】
2014226273.tif 000006
【図５】
2014226273.tif 000007
【図６】
2014226273.tif 000008